(57)【要約】      （修正有）【課題】障子のスライド量をより確実に制限するスライド制限装置を提供する。【解決手段】内障子に支持されたピン部材４１と外障子に支持されたアーム部材４２とを備えたスライド制限装置４０であって、ピン部材４１は、先端部にフック部４１ｃを有し、アンロック位置とロック位置との間を変位する間に軸心を中心として所定角度回転するものであり、フック部４１ｃは、内障子及び外障子が互いに閉じ位置に配置された状態においてピン部材４１がアンロック位置に配置された場合にアーム部材４２のガイド溝４２ｃに沿って延在し、ロック位置に配置された場合にアーム部材４２の裏面に対向するものであり、アーム部材４２には、内障子及び外障子が互いに閉じ位置に配置された状態においてピン部材４１がロック位置に配置された場合にフック部４１ｃの先端延長上となる部位に外障子の表面に向けて突出する上方突出片部４２ｅが設けられている。【選択図】図２
2019127738.tif 000002
【特許請求の範囲】
【請求項１】
相対的にスライド可能に配設された室内側の内面材及び室外側の外面材の間に設けられ、
見込み方向に沿って移動可能となる状態で前記内面材に支持されたピン部材と、
前記ピン部材が挿通可能となるガイド溝を有し、見込み方向に沿った軸心を中心に回転可能となる状態で前記外面材に支持されたアーム部材と、
を備え、
前記ピン部材は、前記内面材及び前記外面材が互いに閉じ位置に配置された場合に前記アーム部材のガイド溝に対向する部位に配設され、見込み方向に沿って移動することにより前記アーム部材のガイド溝から逸脱したアンロック位置と、前記ガイド溝を介して前記アーム部材を貫通したロック位置との間を変位するスライド制限装置であって、
前記ピン部材は、先端部にフック部を有し、前記アンロック位置と前記ロック位置との間を変位する間に軸心を中心として所定角度回転するものであり、
前記フック部は、前記内面材及び前記外面材が互いに閉じ位置に配置された状態において前記ピン部材が前記アンロック位置に配置された場合に前記アーム部材のガイド溝に沿って延在し、かつ前記ロック位置に配置された場合に前記アーム部材の裏面に対向するものであり、
前記アーム部材には、前記フック部の周囲の少なくとも一部に前記外面材の表面に向けて突出する突出片部が設けられていることを特徴とするスライド制限装置。
【請求項２】
前記突出片部は、前記内面材及び前記外面材が互いに閉じ位置に配置された状態において前記ピン部材が前記ロック位置に配置された場合に前記フック部の先端延長上となる部位に設けられていることを特徴とする請求項１に記載のスライド制限装置。
【請求項３】
相対的にスライド可能に配設された室内側の内面材及び室外側の外面材の間に設けられ、
見込み方向に沿って移動可能となる状態で前記内面材に支持されたピン部材と、
前記ピン部材が挿通可能となるガイド溝を有し、見込み方向に沿った軸心を中心に回転可能となる状態で前記外面材に支持されたアーム部材と、
を備え、
前記ピン部材は、前記内面材及び前記外面材が互いに閉じ位置に配置された場合に前記アーム部材のガイド溝に対向する部位に配設され、見込み方向に沿って移動することにより前記アーム部材のガイド溝から逸脱したアンロック位置と、前記ガイド溝を介して前記アーム部材を貫通したロック位置との間を変位するスライド制限装置であって、
前記アーム部材は、基端部を介して前記外面材に回転可能に支持され、
前記アーム部材の先端部には、前記外面材の表面に向けて突出する突出片部が設けられていることを特徴とするスライド制限装置。
【請求項４】
前記ピン部材は、円柱状を成す軸部と、前記軸部の先端部に設けられ、前記ガイド溝の幅よりも外形寸法の大きな円形状の係合部とを有し、
前記アーム部材のガイド溝には、前記係合部を挿通可能とする幅の挿入部が設けられていることを特徴とする請求項１または請求項３に記載のスライド制限装置。
【発明の詳細な説明】
【技術分野】
【０００１】
本発明は、引き違い窓や片引き窓等のように、相対的にスライド可能に配設された室内側の内面材及び室外側の外面材を備えた建具を適用対象とし、内面材及び外面材の相対的なスライド量を制限するスライド制限装置に関するものである。
【背景技術】
【０００２】
例えば、２枚の障子がそれぞれ枠体に対してスライド可能に配設された引き違い窓には、内面材である室内側の内障子と、外面材である室外側の外障子との間にスライド制限装置が設けられたものがある。スライド制限装置は、内障子に設けたピン部材と、外障子に設けたアーム部材とを備えて構成されている。ピン部材は、見込み方向に沿って移動することが可能である。アーム部材は、見込み方向に沿った軸心を中心として回転することが可能である。アーム部材には、長手方向に沿ってガイド溝が設けられている。このスライド制限装置では、２枚の障子が閉じられている場合、ピン部材がアーム部材のガイド溝に対向して配置される。ピン部材は、突出する方向に移動させ、ロック位置に保持することでガイド溝を介してアーム部材を貫通した状態となる。ピン部材がロック位置に配置された状態で、例えば内障子を開く方向にスライドさせると、アーム部材が適宜回転することにより、ガイド溝に沿ってピン部材が移動する。このため、やがてピン部材がガイド溝の端部においてアーム部材に当接し、外障子に対する内障子のスライド量が制限されることになる（例えば、特許文献１参照）。
【先行技術文献】
【特許文献】
【０００３】
【特許文献１】特開２０１７−１５０２１８号公報
【発明の概要】
【発明が解決しようとする課題】
【０００４】
ところで、この種のスライド制限装置では、例えば、ピン部材がロック位置に配置された状態においてもピン部材から遠ざかる方向にアーム部材を撓める等、アーム部材に対して不正操作が行われた場合、ピン部材がガイド溝から逸脱した状態となり得る。また、ピン部材の先端部を押圧してアンロック位置に戻す等、ピン部材に対して不正操作が行われた場合にもピン部材がガイド溝から逸脱した状態となり得る。このため、これらの不正操作を行った状態で内障子をスライドさせた場合には、障子のスライド量を制限することができないという問題を生じる。
【０００５】
なお、上述のスライド制限装置は、室外側の面材（外面材）が固定で室内側の面材（内面材）のみがスライドする片引き窓や、内面材が固定で外面材のみがスライドする片引き窓にも同様に適用可能であり、不正操作が行われた場合の問題も引き違い窓と同様に生じ得る。
【０００６】
本発明は、上記実情に鑑みて、障子のスライド量をより確実に制限することのできるスライド制限装置を提供することを目的とする。
【課題を解決するための手段】
【０００７】
上記目的を達成するため、本発明に係るスライド制限装置は、相対的にスライド可能に配設された室内側の内面材及び室外側の外面材の間に設けられ、見込み方向に沿って移動可能となる状態で前記内面材に支持されたピン部材と、前記ピン部材が挿通可能となるガイド溝を有し、見込み方向に沿った軸心を中心に回転可能となる状態で前記外面材に支持されたアーム部材と、を備え、前記ピン部材は、前記内面材及び前記外面材が互いに閉じ位置に配置された場合に前記アーム部材のガイド溝に対向する部位に配設され、見込み方向に沿って移動することにより前記アーム部材のガイド溝から逸脱したアンロック位置と、前記ガイド溝を介して前記アーム部材を貫通したロック位置との間を変位するスライド制限装置であって、前記ピン部材は、先端部にフック部を有し、前記アンロック位置と前記ロック位置との間を変位する間に軸心を中心として所定角度回転するものであり、前記フック部は、前記内面材及び前記外面材が互いに閉じ位置に配置された状態において前記ピン部材が前記アンロック位置に配置された場合に前記アーム部材のガイド溝に沿って延在し、かつ前記ロック位置に配置された場合に前記アーム部材の裏面に対向するものであり、前記アーム部材には、前記フック部の周囲の少なくとも一部に前記外面材の表面に向けて突出する突出片部が設けられていることを特徴とする。
【０００８】
この発明によれば、ピン部材の先端部にフック部が設けてあり、しかも、ピン部材がロック位置に配置された場合にフック部がアーム部材の裏面に対向した状態となる。従って、アーム部材を撓めた場合にも、ピン部材がガイド溝から逸脱する事態を防止することができ、内面材及び外面材の相対的なスライド量を制限することが可能となる。さらに、アーム部材には、フック部の周囲の少なくとも一部に外面材の表面に向けて突出する突出片部が設けられている。従って、外面材の表面とアーム部材との隙間からフック部を直接操作してピン部材をアンロック位置に戻すことが難しくなる。これにより、ピン部材をロック位置に配置させれば、内面材及び外面材の相対的なスライド量をより確実に制限することができる。
【０００９】
また本発明は、上述したスライド制限装置において、前記突出片部は、前記内面材及び前記外面材が互いに閉じ位置に配置された状態において前記ピン部材が前記ロック位置に配置された場合に前記フック部の先端延長上となる部位に設けられていることを特徴とする。
【００１０】
この発明によれば、突出片部がロック位置に配置されたフック部の先端延長上となる部位を覆うため、フック部を直接操作することがより困難となり、不正操作によってロック位置を解除する事態をより確実に防止することができる。
【００１１】
また本発明に係るスライド制限装置は、相対的にスライド可能に配設された室内側の内面材及び室外側の外面材の間に設けられ、見込み方向に沿って移動可能となる状態で前記内面材に支持されたピン部材と、前記ピン部材が挿通可能となるガイド溝を有し、見込み方向に沿った軸心を中心に回転可能となる状態で前記外面材に支持されたアーム部材と、を備え、前記ピン部材は、前記内面材及び前記外面材が互いに閉じ位置に配置された場合に前記アーム部材のガイド溝に対向する部位に配設され、見込み方向に沿って移動することにより前記アーム部材のガイド溝から逸脱したアンロック位置と、前記ガイド溝を介して前記アーム部材を貫通したロック位置との間を変位するスライド制限装置であって、前記アーム部材は、基端部を介して前記外面材に回転可能に支持され、前記アーム部材の先端部には、前記外面材の表面に向けて突出する突出片部が設けられていることを特徴とする。
【００１２】
この発明によれば、アーム部材を撓めた場合、先端部に設けた突出片部が外面材の表面に当接することでその撓み量が制限され、ピン部材がガイド溝から逸脱する事態が防止されるため、内面材及び外面材の相対的なスライド量をより確実に制限することができる。
【００１３】
また本発明は、上述したスライド制限装置において、前記ピン部材は、円柱状を成す軸部と、前記軸部の先端部に設けられ、前記ガイド溝の幅よりも外形寸法の大きな円形状の係合部とを有し、前記アーム部材のガイド溝には、前記係合部を挿通可能とする幅の挿入部が設けられていることを特徴とする。
【００１４】
この発明によれば、ガイド溝の挿入部を介してピン部材がアーム部材を貫通した後、ピン部材がガイド溝に位置している状態においては、ピン部材がガイド溝から逸脱することがないため、内面材及び外面材の相対的なスライド量をより確実に制限することができる。
【発明の効果】
【００１５】
本発明によれば、ピン部材の先端部にフック部が設けてあり、しかも、ピン部材がロック位置に配置された場合にフック部がアーム部材の裏面に対向した状態となる。従って、アーム部材を撓めた場合にも、ピン部材がガイド溝から逸脱する事態を防止することができ、内面材及び外面材の相対的なスライド量を制限することが可能となる。さらに、アーム部材には、ピン部材がロック位置に配置された場合にフック部の先端延長上となる部位に外面材の表面に向けて突出する突出片部が設けられている。従って、フック部を直接操作してピン部材をアンロック位置に戻すことも困難となり、内面材及び外面材の相対的なスライド量をより確実に制限することができる。
【００１６】
また本発明によれば、アーム部材を撓めた場合、先端部に設けた突出片部が外面材の表面に当接することでその撓み量が制限され、ピン部材がガイド溝から逸脱する事態が防止されるため、内面材及び外面材の相対的なスライド量をより確実に制限することができる。
【図面の簡単な説明】
【００１７】
【図１】本発明の実施の形態であるスライド制限装置を適用した建具を室内側から見た図である。
【図２】図１に示した建具の要部を室内側から見た拡大図である。
【図３−１】図１に示した建具の要部を拡大して示すもので、スライド制限装置のピン部材がアンロック位置に配置された状態を縦断面図である。
【図３−２】図１に示した建具の要部を拡大して示すもので、スライド制限装置のピン部材がロック位置に配置された状態を縦断面図である。
【図４】図１に示した建具に適用したスライド制限装置のピン部材をベースとともに示すもので、（ａ）は室外側から見た図、（ｂ）は室内側から見た図、（ｃ）は側面図である。
【図５】図１に示した建具に適用したスライド制限装置のアーム部材を取付ブラケットとともに示すもので、（ａ）は側面図、（ｂ）は室内側から見た図である。
【図６】図５の（ｂ）に示したアーム部材を取り付けた外面材を室内側から見た要部拡大図である。
【発明を実施するための形態】
【００１８】
以下、添付図面を参照しながら本発明に係るスライド制限装置の好適な実施の形態について詳細に説明する。
図１〜図３−２は、本発明の実施の形態であるスライド制限装置を適用した建具を示したものである。ここで例示する建具は、開口枠１０に対して内面材である室内側の障子（以下、内障子２０という）と、外面材である室外側の障子（以下、外障子３０という）とがそれぞれスライド可能に配設された引き違い窓である。開口枠１０は、上枠１１、下枠１２及び左右の縦枠１３，１４を四周枠組みすることによって構成したものである。内障子２０は、矩形状を成すガラス板２１の四周に上框２２、下框２３及び左右の縦框２４，２５を装着することによって構成したものである。外障子３０についても、内障子２０と同様、矩形所を成すガラス板３１の四周に上框３２、下框３３及び左右の縦框３４，３５を装着することによって構成したものである。これら内障子２０及び外障子３０は、それぞれにおいて召し合わせとなる縦框、すなわち、内障子２０では室内側から見て左側に位置する縦框（以下、単に内召し合わせ框２４という）と、外障子３０では室内側から見て右側に位置する縦框（以下、単に外召し合わせ框３５という）とを、互いに見込み方向に並設した場合に、開口枠１０を閉塞することのできる大きさに構成してある。換言すれば、この建具では、内障子２０及び外障子３０を互いに閉じ位置に配置した場合に開口枠１０が閉塞され、かつ内召し合わせ框２４と外召し合わせ框３５とが互いに見込み方向に並設されることになる。
【００１９】
ここで、見込み方向とは、図３−１及び図３−２中の矢印Ａで示すように、建具の奥行きに沿った方向である。見込み方向に沿った面については、見込み面と称する場合がある。また、本実施の形態では、見付け方向という用語も用いる。見付け方向は、上枠１１や下枠１２あるいは上框２２，３２や下框２３，３３等のように水平方向に沿って延在するものの場合、見込み方向に直交した上下に沿う方向である。縦枠１３，１４や縦框２４，２５，３４，３５等のように上下方向に沿って延在するものの場合には、見込み方向に直交した水平に沿う方向を見付け方向という。見付け方向に沿った面については、見付け面と称する場合がある。
【００２０】
この建具には、図１〜図３−２に示すように、内召し合わせ框２４と外召し合わせ框３５との間に、スライド制限装置４０が設けてある。スライド制限装置４０は、ピン部材４１及びアーム部材４２を備えて構成したものである。
【００２１】
ピン部材４１は、図４に示すように、円柱状を成す軸部４１ａと、軸部４１ａの先端部に設けられた係合部４１ｂ及びフック部４１ｃとを有したものである。係合部４１ｂは、軸部４１ａよりも外径の大きな円板状を成すもので、軸部４１ａの周囲全周に設けてある。フック部４１ｃは、係合部４１ｂの周面からさらに径方向に沿って延在した幅の狭い平板状部分である。図示の例では、軸部４１ａの中心からフック部４１ｃの先端までの長さが係合部４１ｂの半径のほぼ３倍となるようにピン部材４１が構成してある。このピン部材４１は、図２及び図３−２に示すように、軸部４１ａの軸心が見込み方向に沿い、かつ係合部４１ｂが室外に向いた状態で、ベース４３を介して内召し合わせ框２４の外周側となる見込み面に取り付けてある。
【００２２】
図４に示すように、ベース４３において室内に臨む部位には、キー孔４５が設けてある。キー孔４５は、ピン部材４１の軸心延長上となる部位に設けられたもので、操作キー４６を挿入することが可能である。操作キー４６は、キー孔４５に挿入して回転操作することにより、ベース４３に対してピン部材４１をアンロック位置とロック位置とに変位させることが可能である。アンロック位置は、図４中の実線で示すように、ベース４３に対してピン部材４１がもっとも室内側に退行した位置である。このアンロック位置においては、ピン部材４１のフック部４１ｃが軸部４１ａからほぼ鉛直下方に向けて延在した状態にある。これに対してロック位置は、図４中の２点鎖線で示すように、ベース４３に対してピン部材４１がもっとも室外側に突出した位置である。このロック位置においてもピン部材４１とガラス板３１の表面との間には、図３−１及び図３−２に示すように、隙間が確保されるようにピン部材４１の寸法が設定してある。本実施の形態では、操作キー４６を室内側から見て時計回りに９０°回転させた場合にアンロック位置からロック位置に変位するようにピン部材４１が構成してある。すなわち、ロック位置においては、室内側から見てピン部材４１のフック部４１ｃが軸部４１ａから左側にほぼ水平に延在した状態となる。ロック位置から操作キー４６を先とは逆方向に９０°回転させれば、ピン部材４１をアンロック位置に復帰させることが可能である。アンロック位置に復帰した場合、図４中の実線で示すように、フック部４１ｃが軸部４１ａからほぼ鉛直下方に向けて延在した位置となるのはいうまでもない。
【００２３】
アーム部材４２は、図５及び図６に示すように、幅に比べて長さの大きな板状部材であり、取付ブラケット４７を介して外召し合わせ框３５に取り付けてある。より具体的に説明すると、取付ブラケット４７は、外召し合わせ框３５の内周側となる見込み面よりも内周側に突出する部分を有しており、この突出した部分の下端部に支持軸４８を介してアーム部材４２の基端部４２ａを支持している。つまり、アーム部材４２は、外召し合わせ框３５の内周側となる見込み面よりも内周側となる部位、換言すれば外障子３０のガラス板３１よりも室内側、かつガラス板３１に対向する部位において取付ブラケット４７の下端部に支持してあり、見込み方向に沿った支持軸４８の軸心を中心として回転することが可能である。外力を加えていない場合、アーム部材４２は、自重によって垂下し、支持軸４８から鉛直下方に沿って延在している。内障子２０及び外障子３０が互いに閉じ位置に配置された場合には、アーム部材４２の基端部４２ａにおいて支持軸４８よりも下方となる部位がピン部材４１に対向した位置となるように、アーム部材４２及びピン部材４１の取り付け位置が設定してある。また、ピン部材４１がアンロック位置に配置された場合には、図３−１に示すように、ピン部材４１とアーム部材４２との間に隙間が確保され、ピン部材４１に干渉することなくアーム部材４２を回転させることが可能である。一方、ピン部材４１がロック位置に配置された場合には、図３−２に示すように、ピン部材４１に設けた係合部４１ｂが、アーム部材４２を超えて突出した状態となる。このアーム部材４２には、ガイド溝４２ｃ、カバー部４２ｄ及び２つの突出片部４２ｅ，４２ｆが設けてある。
【００２４】
ガイド溝４２ｃは、アーム部材４２の長手方向に沿って延在し、かつ両端が閉塞した切欠である。ガイド溝４２ｃの寸法は、ピン部材４１に対して軸部４１ａの外径よりも大きく、かつ係合部４１ｂの外径よりも小さい幅となるように設定してある。ガイド溝４２ｃにおいてアーム部材４２の基端部４２ａ側に位置する部位には、挿入部４２ｇが設けてある。挿入部４２ｇは、ピン部材４１の係合部４１ｂよりも大きな幅を有した部分であり、内障子２０及び外障子３０が互いに閉じ位置に配置された場合に、ピン部材４１に対向する部位に形成してある。つまり、内障子２０及び外障子３０が互いに閉じ位置に配置された状態でピン部材４１をロック位置に変位させると、ピン部材４１の先端部が挿入部４２ｇを介してアーム部材４２を貫通した状態となる。
【００２５】
このとき、図６に示すように、アンロック位置に配置されたピン部材４１のフック部４１ｃは、軸部４１ａから鉛直下方に延在しているため、ロック位置に変位させる間、挿入部４２ｇから鉛直下方に延在したガイド溝４２ｃを通過することになり、アーム部材４２に干渉することはない。一方、ピン部材４１がロック位置に配置された状態においては、フック部４１ｃが９０°回転するため、アーム部材４２の裏面４２ｈに対向した状態となる。上述の状態から再びピン部材４１をアンロック位置に変位させれば、フック部４１ｃが再び鉛直下方に延在した状態となり、ピン部材４１の先端部が挿入部４２ｇから逸脱した状態に復帰する。
【００２６】
カバー部４２ｄは、室内側から見た場合に左側に位置する縁部の中間部を突出させることによって構成したものである。このカバー部４２ｄは、ロック位置に配置されたピン部材４１のフック部４１ｃを覆うことのできる寸法に形成してある。すなわち、内障子２０及び外障子３０が互いに閉じ位置に配置された状態でピン部材４１がロック位置に配置された場合にも、室内側からはカバー部４２ｄによって覆われたフック部４１ｃを視認することが困難となる。
【００２７】
２つの突出片部４２ｅ，４２ｆは、それぞれアーム部材４２の縁部から外障子３０のガラス板３１に向けて突出したものである。本実施の形態では、カバー部４２ｄの突出縁部及びアーム部材４２の先端部４２ｂに突出片部４２ｅ，４２ｆが設けてある。アーム部材４２に外力が加えられていない場合には、図３−１及び図３−２に示すように、それぞれの突出片部４２ｅ，４２ｆとガラス板３１の表面との間に隙間が確保され、ガラス板３１に接触することなくアーム部材４２を回転させることが可能である。
【００２８】
カバー部４２ｄの突出縁部に設けた突出片部（以下、単に上方突出片部４２ｅという）は、ピン部材４１がロック位置に配置された場合にフック部４１ｃの先端延長上となる部位からその下方にわたる部位を覆うように形成してある。この上方突出片部４２ｅは、アーム部材４２とガラス板３１の表面との隙間を狭めるように機能するものであり、例えばアーム部材４２とガラス板３１との隙間から異物を挿入してフック部４１ｃに直接触れる不正操作を阻止することが可能である。上述したように、本実施の形態では、ロック位置に配置された場合にフック部４１ｃの先端延長上となる部位からその下方にわたる部位を覆うように上方突出片部４２ｅが設けてあるため、アンロック位置からロック位置に至るまでの間のいずれの状態においても上述の不正操作が困難となる。
【００２９】
アーム部材４２の先端部４２ｂに設けた突出片部（以下、単に下方突出片部４２ｆ）は、アーム部材４２がガラス板３１に向けて撓んだ場合にガラス板３１の表面に当接し、アーム部材４２の撓み量を抑えるように機能するものである。
【００３０】
なお、この建具には、ピン部材４１のベース４３にクレセント５０が取り付けられ、かつアーム部材４２の取付ブラケット４７にクレセント受け５１が取り付けられている。従って、この建具では、内障子２０及び外障子３０が互いに閉じ位置に配置された場合にクレセント５０をクレセント受け５１に係合させることで施錠することが可能である。
【００３１】
上記のように構成した建具では、ピン部材４１をアンロック位置に配置した状態でクレセント５０とクレセント受け５１との係合状態を解除すれば、内障子２０及び外障子３０を適宜スライドさせて開口枠１０を開放することが可能である。この場合には、内障子２０及び外障子３０のスライド量が何ら規制されないため、それぞれを任意の位置までスライドさせることができる。
【００３２】
一方、内障子２０及び外障子３０が互いに閉じ位置に配置された状態で操作キー４６により操作を行い、ピン部材４１をロック位置に変位させると、ガイド溝４２ｃの挿入部４２ｇを介してピン部材４１の係合部４１ｂ及びフック部４１ｃがアーム部材４２を貫通し、かつフック部４１ｃがアーム部材４２の裏面４２ｈに対向した状態となる。
【００３３】
この状態から、内障子２０や外障子３０をスライドさせた場合にも、開口枠１０を開放することが可能となる。但し、ピン部材４１がガイド溝４２ｃを介してアーム部材４２を貫通した状態にあるため、それぞれのスライド量は、図２に示すように、ピン部材４１の軸部４１ａがガイド溝４２ｃの端部においてアーム部材４２に当接するまでの範囲となり、開口枠１０の開放量が制限される。従って、人の出入りができない状態で室内の換気を行うことが可能となる。
【００３４】
しかも、この建具によれば、内障子２０及び外障子３０が互いに閉じ位置に配置された状態においては、上方突出片部４２ｅによってピン部材４１のフック部４１ｃに直接触れるような不正操作が困難であるため、ロック状態を解除してアンロック位置に戻すことができない。さらに、アーム部材４２を撓めるように外力を加えた場合にも、下方突出片部４２ｆがガラス板３１に当接することでその撓み量が抑えられ、加えてピン部材４１の先端部にフック部４１ｃを設けるようにしているため、ピン部材４１の係合部４１ｂがガイド溝４２ｃから逸脱する事態を招来するおそれがない。従って、内障子２０及び外障子３０が互いに閉じ位置に配置された状態で操作キー４６の操作によってピン部材４１をロック位置に変位させれば、内障子２０及び外障子３０の相対的なスライド量を確実に制限することができるようになる。
【００３５】
上述の状態から内障子２０及び外障子３０を閉じ位置に配置し、操作キー４６によってピン部材４１をアンロック位置に変位させれば、ピン部材４１がガイド溝４２ｃから逸脱されるため、再び内障子２０及び外障子３０をそれぞれ任意の位置までスライドさせることが可能となる。
【００３６】
なお、上述した実施の形態では、内障子２０及び外障子３０がいずれも開口枠１０に対してスライド可能となる引き違い窓を例示しているが、本発明はこれに限定されない。例えば、室外側の面材（外面材）が固定で室内側の面材（内面材）のみがスライドする片引き窓や、内面材が固定で外面材のみがスライドする片引き窓にも同様に適用可能である。また、スライドする面材として四周に框を備えた障子を例示しているが、ドア等のように框を有していない面材であっても良い。さらに、固定側の面材についてはパネルによって構成した壁であっても構わない。
【００３７】
また、上述した実施の形態では、ピン部材４１にフック部４１ｃを設け、かつアーム部材４２に下方突出片部４２ｆを設けるようにしているが、本発明はこれに限定されない。例えば、ピン部材４１にフック部４１ｃを設けた場合にはアーム部材４２に下方突出片部４２ｆを設ける必要はなく、ピン部材４１に係合部４１ｂを設ける必要もない。逆に、アーム部材４２に下方突出片部４２ｆを設けた場合には、ピン部材４１にフック部４１ｃを設ける必要はなく、係合部４１ｂのみを有したピン部材４１を適用しても良いし、単に円柱状を成すピン部材４１を適用しても構わない。
【００３８】
さらに、上述した実施の形態では、アーム部材４２においてピン部材４１がロック位置に配置された場合にフック部４１ｃの先端延長上となる部位からその下方にわたる部位を覆うように上方突出片部４２ｅを設けているが、上方突出片部４２ｅはフック部４１ｃの周囲の少なくとも一部に設けられていれば、必ずしもこれに限定されない。例えば、ピン部材４１がロック位置に配置された場合にフック部４１ｃの先端延長上となる部位にのみ上方突出片部を設けるようにしても良い。また、ピン部材４１がロック位置に配置された場合にフック部４１ｃの先端延長上となる部位を避け、その両側となる部位にのみ上方突出片部を設けた場合にも、フック部に直接触れるような不正操作を妨げることが可能である。
【符号の説明】
【００３９】
２０  内障子、２１  ガラス板、２２  上框、２３  下框、２４，２５  縦框、３０  外障子、３１  ガラス板、３２  上框、３３  下框、３４，３５  縦框、４０  スライド制限装置、４１  ピン部材、４１ａ  軸部、４１ｂ  係合部、４１ｃ  フック部、４２  アーム部材、４２ｃ  ガイド溝、４２ｅ  上方突出片部、４２ｆ  下方突出片部、４２ｇ  挿入部、４２ｈ  アーム部材の裏面
【図１】
2019127738.tif 000003
【図２】
2019127738.tif 000004
【図３−１】
2019127738.tif 000005
【図３−２】
2019127738.tif 000006
【図４】
2019127738.tif 000007
【図５】
2019127738.tif 000008
【図６】
2019127738.tif 000009